(57)【要約】【課題】画質を低下させることなく低消費電力化を実現する平面表示装置及びその駆動方法を提供する。【解決手段】複数の画素ＰＸと、各列の画素群に画像信号を供給する信号線ＤＬと、行単位の画素群を選択する走査線ＳＬと、信号線ＤＬが接続された信号線駆動回路１２及び走査線ＳＬが接続された走査線駆動回路１４と、信号線駆動回路１２及び走査線駆動回路１４に画像データＳｉ１及び駆動信号を送信する切替部１６Ａと、原画像データＳｉが動画か静止画かに応じてインタレース走査ＯＮ／ＯＦＦ信号Ｓｉ２をＯＮ／ＯＦＦして切替部１６Ａに送信する表示画像制御部２２と、を備え、表示画像制御部２２には動画判定のための基準値θが外部から入力され、切替部１６Ａはインタレース走査ＯＮ／ＯＦＦ信号Ｓｉ２がＯＮの時に走査線駆動回路１４の動作をインタレース走査に切替え、ＯＦＦの時にノンインタレース走査に切替える平面表示装置。【選択図】図１
2006330263.tif 000002
【特許請求の範囲】
【請求項１】
基板上にマトリクス状に配置された複数の画素と、
前記複数の画素の列毎に設けられ、各列の画素群にそれぞれ画像信号を供給するための複数の信号線と、
前記複数の画素の行毎に設けられ、行単位の画素群をそれぞれ選択するための複数の走査線と、
前記複数の信号線が接続された信号線駆動回路と、
前記複数の走査線が接続された走査線駆動回路と、
前記信号線駆動回路及び前記走査線駆動回路に画像データ及び駆動信号を送信する切替部と、
原画像データが入力されるとともに、前記原画像データが動画の時にインタレース走査ＯＮ／ＯＦＦ信号をＯＮにし、前記原画像データが静止画のときにインタレース走査ＯＮ／ＯＦＦ信号をＯＦＦにして前記切替部に送信する表示画像制御部と、を備え、
前記表示画像制御部には、前記原画像データが動画か静止画かを判定するための基準値が外部から入力され、
前記切替部は、前記表示画像制御部から受信したインタレース走査ＯＮ／ＯＦＦ信号がＯＮのときに前記走査線駆動回路の動作をインタレースに走査に切替え、ＯＦＦのときにノンインタレース走査に切替える平面表示装置。
【請求項２】
前記表示画像制御部は、前記原画像データと１フレーム前の画像データとの差分を算出し、前記差分の１フレーム分の和が前記基準値よりも大きいときに前記原画像データを動画と判定し、前記差分の１フレーム分の和が前記基準値以下のときに前記原画像データを静止画と判定する判定部を有する請求項１記載の平面表示装置。
【請求項３】
前記表示画像制御部は、駆動される走査線に対応した画像データを前記原画像データから選択し、選択した前記画像データ及び前記画像データに対応した同期信号を前記切替部に送信するデータ変換回路を有する請求項１記載の平面表示装置。
【請求項４】
前記基準値は、消費電力モードに対応して変化する請求項１記載の平面表示装置。
【請求項５】
前記基板を有する表示パネルと、
前記表示パネルと信号供給配線によって電気的に接続された情報処理装置と、をさらに有し、
前記切替部は前記表示パネルに設けられ、
前記表示画像制御部は前記情報処理装置に設けられ、前記信号供給配線を介して前記表示パネルの前記切替部にインタレース走査ＯＮ／ＯＦＦ信号を送信する請求項１記載の平面表示装置。
【請求項６】
前記基板を有する表示パネルと、
前記表示パネルと信号供給配線によって電気的に接続された情報処理装置と、をさらに有し、
前記表示画像制御部及び前記切替部は前記表示パネルに設けられ、前記表示画像制御部は前記情報処理装置から前記原画像データを受信する請求項１記載の平面表示装置。
【請求項７】
前記切替部は、前記走査線駆動回路がインタレース走査を行うときは、
ｎフレームではｋ番目、ｋ＋（ｊ＋１）番目、ｋ＋２（ｊ＋１）、・・・の順に前記走査線をｊ本おきに走査し、
ｎ＋１フレームではｋ＋１番目、ｋ＋１＋（ｊ＋１）番目、ｋ＋１＋２（ｊ＋１）番目、・・・の順に前記走査線をｊ本おきに走査する駆動信号を前記走査線駆動回路に送信し、
ｊ＋１フレームで、１画面を構成する請求項１記載の平面表示装置。
【請求項８】
前記切替部は、垂直ブランキング期間にインタレース走査とノンインタレース走査との切替えを行う、請求項１記載の平面表示装置。
【請求項９】
基板上にマトリクス状に配置された複数の画素と、
前記複数の画素の列毎に設けられ、各列の画素群にそれぞれ画像信号を供給するための複数の信号線と、
前記複数の画素の行毎に設けられ、行単位の画素群をそれぞれ選択するための複数の走査線と、
前記複数の信号線が接続された信号線駆動回路と、
前記複数の走査線が接続された走査線駆動回路と、
前記信号線駆動回路及び前記走査線駆動回路に画像データ及び駆動信号を送信する切替部と、
原画像データが入力されるとともに、前記原画像データが動画の時にインタレース走査ＯＮ／ＯＦＦ信号をＯＮにし、前記原画像データが静止画のときにインタレース走査ＯＮ／ＯＦＦ信号をＯＦＦにして前記切替部に送信する表示画像制御部と、を備えた平面表示装置の駆動方法であって、
前記表示画像制御部は、外部から入力された基準値によって前記原画像データが動画か静止画かを判定し、
前記切替部は、前記表示画像制御部から受信したインタレース走査ＯＮ／ＯＦＦ信号がＯＮのときに前記走査線駆動回路の動作をインタレース走査に切替え、ＯＦＦのときにノンインタレース走査に切替える平面表示装置の駆動方法。
【請求項１０】
前記表示画像制御部は前記原画像データが動画か静止画かを判定する判定部をさらに有し、
前記判定部は、原画像データと１フレーム前の画像データとの差分をとり、
前記差分の１フレーム分の和と外部から入力された基準値とを比較し、
前記差分の１フレーム分の和が前記基準値をこえた場合に、現在の画像が動画であると判定し、
前記差分の１フレーム分の和が前記基準値以下の場合に、現在の画像が静止画であると判定する請求項９記載の平面表示装置の駆動方法。
【請求項１１】
前記表示画像制御部は、前記切替部に画像データ及び同期信号を送信するデータ変換回路をさらに有し、
前記データ変換回路は、前記走査線駆動回路によって駆動される走査線に対応した画像データを前記原画像データから選択し、選択された前記画像データ及び前記画像データに対応した同期信号を前記切替部に送信する請求項９記載の平面表示装置の駆動方法。
【請求項１２】
前記切替部は、前記走査線駆動回路がインタレース走査を行うときは、
ｎフレームではｋ番目、ｋ＋（ｊ＋１）番目、ｋ＋２（ｊ＋１）、・・・の順に前記走査線をｊ本おきに走査し、ｎ＋１フレームではｋ＋１番目、ｋ＋１＋（ｊ＋１）番目、ｋ＋１＋２（ｊ＋１）番目、・・・の順に前記走査線をｊ本おきに走査する駆動信号を前記走査線駆動回路に送信し、ｊ＋１フレームで１画面を構成する請求項９記載の平面表示装置の駆動方法。
【発明の詳細な説明】
【技術分野】
【０００１】
本発明は平面表示装置に関し、特に表示パネルと表示パネルに接続された情報処理装置とを備えた平面表示装置およびその駆動方法に関する。
【背景技術】
【０００２】
一般に、平面表示装置は表示部にマトリクス状に配置された画素と、列毎の各画素に画像信号を供給する複数の信号線と、信号線が接続した信号線駆動回路と、行毎の画素を選択する複数の走査線と、走査線が接続した走査線駆動回路とを備えている。
【０００３】
走査線駆動回路が走査線を選択すると、選択された走査線と信号線とが交差する画素に画像が表示される。
【０００４】
従来、平面表示装置では走査線駆動回路が順次走査線を選択するノンインタレース走査が採用されている。しかし、携帯型のパーソナルコンピュータ(以下、ＰＣ)を屋外や移動中等の環境で使用する場合には、バッテリーを用いた長時間駆動が求められる。しかし、ノンインタレース走査の場合には、１フレームで１画面を構成する、すなわち、走査線駆動回路が１フレーム内に全ての走査線を駆動するとともに、情報処理装置が１フレーム内の全てのライン画像情報を送信するために、データ転送速度が高速になり、消費電力を低減させることが困難であった。
【０００５】
上記の問題点に対して、それぞれ独立して表示を行う第１の表示領域と第２の表示領域とを有する表示部において、少なくとも第１の表示領域をインタレース走査する表示装置が提案されている。（特許文献１参照）
ところで一般的にＰＣは、ワープロ処理や図面設計等に使用することが多く、これらの場合には平面表示装置に静止画を表示させている事が多い。しかし、近年はテレビや映画等の動画を表示する機会が増えている。動画表示のように高速応答が要求される場合に、複数のフレームから表示画像を構成するインタレース走査を行うと、画像ボケが強調され易いと言う問題点があった。
【特許文献１】特開２００１−２８２２０４号公報
【発明の開示】
【発明が解決しようとする課題】
【０００６】
しかし上記のような表示装置では、動画を表示させた際にインタレース走査を行い画質の低下を招いたり、静止画を表示させた際にノンインタレース走査を行い、消費電力量が大きくなったりする場合があった。
【０００７】
本発明は、上記の問題点を鑑みて成されたものであって、その目的は、画質を低下させることなく、低消費電力化を実現する平面表示装置およびその駆動方法を提供することである。
【課題を解決するための手段】
【０００８】
本発明の態様による平面表示装置は、基板上にマトリクス状に配置された複数の画素と、前記複数の画素の列毎に設けられ、各列の画素群にそれぞれ画像信号を供給するための複数の信号線と、前記複数の画素の行毎に設けられ、行単位の画素群をそれぞれ選択するための複数の走査線と、前記複数の信号線が接続された信号線駆動回路と、前記複数の走査線が接続された走査線駆動回路と、前記信号線駆動回路及び前記走査線駆動回路に画像データ及び駆動信号を送信する切替部と、原画像データが入力されるとともに、前記原画像データが動画の時にインタレース走査ＯＮ／ＯＦＦ信号をＯＮにし、前記原画像データが静止画のときにインタレース走査ＯＮ／ＯＦＦ信号をＯＦＦにして前記切替部に送信する表示画像制御部と、を備え、前記表示画像制御部には、前記原画像データが動画か静止画かを判定するための基準値が外部から入力され、前記切替部は、前記表示画像制御部から受信したインタレース走査ＯＮ／ＯＦＦ信号がＯＮのときに前記走査線駆動回路の動作をインタレース走査に切替え、ＯＦＦのときにノンインタレース走査に切替える。
【０００９】
また、本発明の態様による平面表示装置の駆動方法は、基板上にマトリクス状に配置された複数の画素と、前記複数の画素の列毎に設けられ、各列の画素群にそれぞれ画像信号を供給するための複数の信号線と、前記複数の画素の行毎に設けられ、行単位の画素群をそれぞれ選択するための複数の走査線と、前記複数の信号線が接続された信号線駆動回路と、前記複数の走査線が接続された走査線駆動回路と、前記信号線駆動回路及び前記走査線駆動回路に画像データ及び駆動信号を送信する切替部と、原画像データが入力されるとともに、前記原画像データが動画の時にインタレース走査ＯＮ／ＯＦＦ信号をＯＮにし、前記原画像データが静止画のときにインタレース走査ＯＮ／ＯＦＦ信号をＯＦＦにして前記切替部に送信する表示画像制御部と、を備えた平面表示装置の駆動方法であって、前記表示画像制御部は、外部から入力された基準値によって前記原画像データが動画か静止画かを判定し、前記切替部は、前記表示画像制御部から受信したインタレース走査ＯＮ／ＯＦＦ信号がＯＮのときに前記走査線駆動回路（１４）の動作をインタレース走査に切替え、ＯＦＦのときにノンインタレース走査に切替える。
【発明の効果】
【００１０】
本発明によれば、画質を低下させることなく、低消費電力化を実現する平面表示装置およびその駆動方法を提供することができる。
【発明を実施するための最良の形態】
【００１１】
以下、本発明の一実施の形態に係る平面表示装置について図面を参照して説明する。
【００１２】
図１に示すように、平面表示装置は、複数の画素ＰＸがマトリクス状に配置された表示部１１０を備えた表示パネル１００、及び情報処理装置２００を備えている。表示パネル１００と情報処理装置２００とは、信号供給配線Ｗ１、Ｗ２によって電気的に接続されている。
【００１３】
表示パネル１００は、表示部１１０において、複数の画素ＰＸの列毎に設けられた信号線ＤＬ１〜ＤＬｖを有している。信号線ＤＬ１〜ＤＬｖは、表示部１１０の周囲に配置された信号線駆動回路１２に接続されて、各列の画素群にそれぞれ画像信号を供給している。また、表示パネル１００は、表示部１１０において画素ＰＸの行毎に設けられた走査線ＳＬ１〜ＳＬｈを有している。走査線ＳＬ１〜ＳＬｈは、表示部１１０の周囲に配置された走査線駆動回路１４に接続され、行単位の画素群をそれぞれ電気的にＯＮ／ＯＦＦしている。
【００１４】
信号線駆動回路１２と走査線駆動回路１４とは、表示部１１０の周囲に配置されたタイミングコントローラ１６に接続され、タイミングコントローラ１６の切替部１６Ａからの駆動信号によって制御されている。
【００１５】
タイミングコントローラ１６の切替部１６Ａは、信号供給配線Ｗ１、Ｗ２を介して、情報処理装置２００の表示画像制御部２２に接続されている。表示画像制御部２２には原画像データＳｉ（ｔ）及び第１同期信号ＳｉＡが入力されている。表示画像制御部は、原画像データＳｉ（ｔ）が動画か静止画かを判定し、その判定結果に対応した、画像データＳｉ１、第２同期信号ＳｉＢ、及びインタレース走査ＯＮ／ＯＦＦ信号Ｓｉ２をタイミングコントローラ１６の切替部１６Ａに送信している。
【００１６】
図２に示すように、表示画像制御部２２は、データ変換回路２２Ａ、フレームメモリ２２Ｃ、及び判定部２４を有している。判定部２４は、差分回路２２Ｂ、加算回路２２Ｄ、及び動画判定回路２２Ｅを有している。
【００１７】
すなわち、表示画像制御部２２に入力された原画像データＳｉ（ｔ）は、データ変換回路２２Ａ、判定部２４の差分回路２２Ｂ、及びフレームメモリ２２Ｃに入力される。差分回路２２Ｂでは、入力された原画像データＳｉ（ｔ）と、フレームメモリ２２Ｃに保存された１フレーム前の原画像データＳｉ（ｔ−１）との差分を算出し、その結果を出力する。差分回路２２Ｂの出力は、加算回路２２Ｄに入力されて、加算回路２２Ｄで算出された差分を加算して1フレーム分の差分の和を算出する。加算回路２２Ｄの算出結果は、動画判定回路２２Ｅに送信される。
【００１８】
動画判定回路２２Ｅには、外部から基準値θが入力されている。動画判定回路２２Ｅは、加算回路２２Ｄから入力された算出結果と、外部から入力された基準値θとを比較する。この基準値θは、例えば情報処理装置２００において設定された消費電力モードに対応して変化する値である。
【００１９】
つまり、消費電力モードが「通常」モードなら基準値θは大きく設定され、「省電力」モードなら消費電力が小さくなるように、基準値θは小さく設定される。
【００２０】
一方、加算回路２２Ｄの算出結果は、1フレーム前の原画像データＳｉ（ｔ−１）に対する原画像データＳｉ（ｔ）の変化が大きいほど大きくなる。すなわち、加算回路２２Ｄの算出結果が大きいほど消費電力量は大きくなる。
【００２１】
このことから、加算回路２２Ｄの算出結果に対して、予め設定された消費電力モードに対応した基準値θを設けるとともに、その算出結果が基準値θを越えるか越えないかによって動画判定を行うことによって、設定された消費電力モードに対応した判定結果が得られる。
【００２２】
本実施形態では、図３に示すように、全ての画素ＰＸに対する原画像データＳｉ（ｔ）の最大変化量を１００％として、基準値θを５０％に設定している。図３では、動画判定回路２２Ｅに入力された加算回路２２Ｄの算出結果を縦軸にとり、横軸に時間をとって、各フレームにおける原画像データＳｉ（ｔ−１）に対する原画像データ（ｔ）の変化を示している。
【００２３】
このとき、動画判定回路２２Ｅは、差分の１フレーム分の和が基準値θを越えていれば原画像データＳｉ（ｔ）が動画であると判定し、算出結果が基準値θ以下であれば原画像データＳｉ（ｔ）が静止画であると判定する。原画像データＳｉ（ｔ）が動画であると判定された場合、動画判定回路２２Ｅはインタレース走査ＯＮ／ＯＦＦ信号Ｓｉ２をＯＦＦとし、原画像データＳｉ（ｔ）が静止画であると判定された場合は、インタレース走査ＯＮ／ＯＦＦ信号Ｓｉ２をＯＮとする。動画判定回路２２Ｅは、インタレース走査ＯＮ／ＯＦＦ信号Ｓｉ２を上記のように設定してデータ変換回路２２Ａに送信するとともに、信号供給配線Ｗ２を介してタイミングコントローラ１６に送信する。
【００２４】
データ変換回路２２Ａでは、動画判定回路２２Ｅから受信したインタレース走査ＯＮ／ＯＦＦ信号Ｓｉ２にしたがって、原画像データＳｉから、走査線駆動回路１４が駆動する走査線に対応する画像データＳｉ１を選択して、信号供給配線Ｗ１を介してタイミングコントローラ１６に送信する。
【００２５】
つまり、データ変換回路２２Ａは、入力されたインタレース走査ＯＮ／ＯＦＦ信号Ｓｉ２がＯＮの場合には、走査線駆動回路１４が駆動する走査線に対応した画像データＳｉ１を原画像データＳｉ（ｔ）から選択し、画像データＳｉ１及びその画像データＳｉ１に対応した第２同期信号ＳｉＢを出力する。入力されたインタレース走査ＯＮ／ＯＦＦ信号Ｓｉ２がＯＦＦの場合には、走査線駆動回路１４は全ての走査線ＳＬ１〜ＳＬｈを駆動するため、原画像データＳｉ（ｔ）を画像データＳｉ１として出力し、第１同期信号ＳｉＡを第２同期信号ＳｉＢとして出力する。
【００２６】
タイミングコントローラ１６に入力されたインタレース走査ＯＮ／ＯＦＦ信号Ｓｉ２がＯＦＦの場合、切替部１６Ａは走査線駆動回路１４にノンインタレース走査をさせるように駆動信号を切替える。このとき、走査線駆動回路１４は、図４に示すように、タイミングコントローラ１６が走査線駆動回路１４に走査線ＳＬ１〜ＳＬｈを順次走査させ、各フレーム期間に１ライン目から順にｈライン目まで連続してパルスが送信される。走査線駆動回路１４が上記のように走査すると、１フレームで１画面が構成される。
【００２７】
インタレース走査ＯＮ／ＯＦＦ信号Ｓｉ２がＯＮの場合、切替部１６Ａは走査線駆動回路１４にインタレース走査をさせるように駆動信号を切替える。このとき、走査線駆動回路１４は、図５に示すように、例えば走査線ＳＬ１〜ＳＬｈを１ライン毎に間引いて走査させる。このとき、信号線ＤＬ１〜ＤＬｖには、駆動される走査線に対応した画像データが入力される。
【００２８】
すなわち、図６に示すように、ｎフレーム目では１ライン目、３ライン目、５ライン目、…の走査線ＳＬ１、ＳＬ３、ＳＬ５、…が走査され、信号線ＤＬ１〜ＤＬｖに走査線ＳＬ１、ＳＬ３、ＳＬ５、…に対応した画像データが入力される。ｎ＋１フレーム目では２ライン目、４ライン目、６ライン目、…の走査線ＳＬ２、ＳＬ４、ＳＬ６…が走査され、信号線ＤＬ１〜ＤＬｖに走査線ＳＬ２、ＳＬ４、ＳＬ６…に対応した画像データが入力される。
【００２９】
上記のように、走査線駆動回路１４がインタレース走査をした場合、図７に示すようにｎフレームとｎ＋１フレームとの２フレームによって１画面が構成される。（この場合、「Ａ」という文字画像が表示される。）
切替部１６Ａは、インタレース／ノンインタレース走査の切替えは、垂直ブランキング期間に行われている。このときの表示画像制御部２２における動画判定動作、及びタイミングコントローラ１６の切替部１６Ａにおけるインタレース／ノンインタレース走査の切替え動作について説明する。
【００３０】
表示画像制御部２２はライン毎の原画像データＳｉ（ｔ）を受信する（ステップＳＴ１）。原画像データＳｉ（ｔ）はフレームメモリ２２Ｃに記憶される（ステップＳＴ２）とともに、フレームメモリ２２Ｃから読み出された１フレーム前の原画像データＳｉ（ｔ−１）との差分が算出される（ステップＳＴ３）。算出された差分は加算回路２２Ｄにおいて加算される（ステップＳＴ４）。この動作を１フレーム分の原画像データＳｉ（ｔ）についてくり返す（ステップＳＴ５）。
【００３１】
加算回路２２Ｄの加算結果は、動画判定回路２２Ｅにおいて外部から入力された基準値θと比較される（ステップＳＴ６）。動画判定回路２２Ｅでは、加算結果が基準値θを越えているかどうか判断し（ステップＳＴ７）、基準値θを越えている場合には原画像データＳｉ（ｔ）を動画と判定する（ステップＳＴ８）。この場合、表示画像制御部２２は、インタレース走査ＯＮ／ＯＦＦ信号をＯＦＦ（Ｌ）にして、タイミングコントローラ１６に送信する。（ステップＳＴ９）
加算回路２２Ｄでの加算結果が基準値θ以下の場合には、原画像データＳｉ（ｔ）は静止画と判定される（ステップＳＴ１０）。この場合、表示画像制御部２２は、インタレース走査ＯＮ／ＯＦＦ信号をＯＮ（Ｈ）にしてタイミングコントローラ１６に送信する（ステップＳＴ１１）。
【００３２】
タイミングコントローラ１６の切替部１６Ａは、情報処理装置２００からインタレース走査ＯＮ／ＯＦＦ信号Ｓｉ２を受信する（ステップＳＴ１２）。ここで、受信したインタレース走査ＯＮ／ＯＦＦ信号がＯＮ（Ｈ）であるかどうか判断し（ステップＳＴ１３）、ＯＮ（Ｈ）であればインタレース走査を行うように走査線駆動回路１４に駆動信号を送信する（ステップＳＴ１４）。インタレース走査ＯＮ／ＯＦＦ信号がＯＦＦ（Ｌ）であれば、ノンインタレース走査を行うように走査線駆動回路１４に駆動信号を送信する（ステップＳＴ１５）。
【００３３】
上記のように、表示画像が動画か静止画かを判定し、動画の場合にはノンインタレース走査を行い、静止画の場合にはインタレース走査を行うことによって、動画を表示する際に画像がボケることがなくなり、画質を低下させることがない。静止画を表示する際には、１フレームにおいて全部の走査線を駆動する必要がなく、消費電力を抑えることが出来る。
【００３４】
さらに、走査線駆動回路１４がインタレース走査をする場合には、情報処理装置２００からの原画像データＳｉ（ｔ）全てを、表示パネル１００に送信する必要がないため処理速度を高速にならない。また、走査線駆動回路１４がインタレース走査をする場合には、走査線駆動回路１４が１フレーム期間に全ての走査線ＳＬ１〜ＳＬｈを駆動する必要がない。このことによって、消費電力を抑えることができる。つまり、本発明によれば、表示画像の画質を低下させることなく、低消費電力化を実現する平面表示装置を提供することが可能になる。
【００３５】
なお、この発明は、上記実施形態そのままに限定されるものではなく、実施段階ではその要旨を逸脱しない範囲で構成要素を変形して具体化できる。
【００３６】
例えば、上記の実施形態では情報処理装置２００において動画判定を行っているが、表示パネル１００で動画判定を行っても良い。この場合にも上記の実施形態と同様の効果を得ることができる。
【００３７】
また、上記の実施形態では、インタレース走査を行う際に２フレームで1画面を構成する場合について説明したが、２以上のフレームで１画面を構成しても良い。例えば、ｎフレームではｋ番目、ｋ＋（ｊ＋１）番目、ｋ＋２（ｊ＋１）、・・・の順に前記走査線をｊ本おきに走査する。ｎ＋１フレームではｋ＋１番目、ｋ＋１＋（ｊ＋１）番目、ｋ＋１＋２（ｊ＋１）番目、・・・の順に前記走査線をｊ本おきに走査する。上記のようにインタレース走査を行うと、ｊ＋１フレームで１画面を構成することになる。
【００３８】
また、上記の実施形態では基準値θは消費電力モードに対応して設定されたが、基準値θはユーザの操作によって直接変化する値であっても良い。その場合には、上記の実施形態と同様の効果が得られるとともに、例えばユーザが表示画像の画質を確認しながら基準値θを設定することが可能となる。
【００３９】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４０】
例えば、上記の実施形態における表示画像制御部２２からデータ変換回路２２Ａを削除しても良い。このとき、常に原画像データＳｉ（ｔ）が全て切替部１６Ａに送信されることになるが、走査線駆動回路１４にインタレース走査をさせることによって、複数のフレームから１画面を構成することができる。この場合にも、走査線駆動回路１４が１フレーム期間に全ての走査線ＳＬ１〜ＳＬｈを駆動する必要がなく、表示画像の画質を低下させることなく。低消費電力化を実現する平面表示装置を提供することができる。
【図面の簡単な説明】
【００４１】
【図１】本発明に係る平面表示装置の一概略構成例を示す図。
【図２】図１に示す情報処理装置の表示画像制御部の一構成例を詳細に示す図。
【図３】図２に示す表示画像制御部における動画／静止画判定の方法の一例を説明する図。
【図４】第２表示部がある場合の、図２に示す表示画像制御部における動画／静止画判定の方法の一例を説明する図。
【図５】ノンインタレース走査を行った場合に、走査線に送信されるパルスのタイミングチャートの一例を示す図。
【図６】２フレームで１画面を構成するようにインタレース走査を行った場合に、走査線に送信されるパルスのタイミングチャートの一例を示す図。
【図７】図６に示すようにインタレース走査した場合の一表示例を示す図。
【図８】表示画像制御部での判定動作とタイミングコントローラでの切替動作を説明するフローチャート。
【符号の説明】
【００４２】
１２…信号線駆動回路、１４…走査線駆動回路、１６…タイミングコントローラ、１６Ａ…切替部、２２…表示画像制御部、２２Ａ…データ変換回路、２２Ｂ…差分回路、２２Ｃ…フレームメモリ、２２Ｄ…加算回路、２２Ｅ…動画判定回路、２４…判定部、１００…表示パネル、１１０…表示部、２００…情報処理装置、ＳＬ１〜ＳＬｈ…走査線、ＤＬ１〜ＤＬｖ…信号線、ＰＸ…画素、Ｓｉ（ｔ）…原画像データ、Ｓｉ１…表示画像データ、Ｓｉ２…インタレース走査ＯＮ／ＯＦＦ信号、ＳｉＡ…第１同期信号、ＳｉＢ…第２同期信号
【図１】
2006330263.tif 000003
【図２】
2006330263.tif 000004
【図３】
2006330263.tif 000005
【図４】
2006330263.tif 000006
【図５】
2006330263.tif 000007
【図６】
2006330263.tif 000008
【図７】
2006330263.tif 000009
【図８】
2006330263.tif 000010
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
基板上にマトリクス状に配置された複数の画素と、
前記複数の画素の列毎に設けられ、各列の画素群にそれぞれ画像信号を供給するための複数の信号線と、
前記複数の画素の行毎に設けられ、行単位の画素群をそれぞれ選択するための複数の走査線と、
前記複数の信号線が接続された信号線駆動回路と、
前記複数の走査線が接続された走査線駆動回路と、
前記信号線駆動回路及び前記走査線駆動回路に画像データ及び駆動信号を送信する切替部と、
原画像データが入力されるとともに、前記原画像データが動画の時にインタレース走査ＯＮ／ＯＦＦ信号をＯＦＦにし、前記原画像データが静止画のときにインタレース走査ＯＮ／ＯＦＦ信号をＯＮにして前記切替部に送信する表示画像制御部と、を備え、
前記表示画像制御部には、前記原画像データが動画か静止画かを判定するための基準値が外部から入力され、
前記切替部は、前記表示画像制御部から受信したインタレース走査ＯＮ／ＯＦＦ信号がＯＮのときに前記走査線駆動回路の動作をインタレースに走査に切替え、ＯＦＦのときにノンインタレース走査に切替える平面表示装置。
【請求項２】
前記表示画像制御部は、前記原画像データと１フレーム前の画像データとの差分を算出し、前記差分の１フレーム分の和が前記基準値よりも大きいときに前記原画像データを動画と判定し、前記差分の１フレーム分の和が前記基準値以下のときに前記原画像データを静止画と判定する判定部を有する請求項１記載の平面表示装置。
【請求項３】
前記表示画像制御部は、駆動される走査線に対応した画像データを前記原画像データから選択し、選択した前記画像データ及び前記画像データに対応した同期信号を前記切替部に送信するデータ変換回路を有する請求項１記載の平面表示装置。
【請求項４】
前記基準値は、消費電力モードに対応して変化する請求項１記載の平面表示装置。
【請求項５】
前記基板を有する表示パネルと、
前記表示パネルと信号供給配線によって電気的に接続された情報処理装置と、をさらに有し、
前記切替部は前記表示パネルに設けられ、
前記表示画像制御部は前記情報処理装置に設けられ、前記信号供給配線を介して前記表示パネルの前記切替部にインタレース走査ＯＮ／ＯＦＦ信号を送信する請求項１記載の平面表示装置。
【請求項６】
前記基板を有する表示パネルと、
前記表示パネルと信号供給配線によって電気的に接続された情報処理装置と、をさらに有し、
前記表示画像制御部及び前記切替部は前記表示パネルに設けられ、前記表示画像制御部は前記情報処理装置から前記原画像データを受信する請求項１記載の平面表示装置。
【請求項７】
前記切替部は、前記走査線駆動回路がインタレース走査を行うときは、
ｎフレームではｋ番目、ｋ＋（ｊ＋１）番目、ｋ＋２（ｊ＋１）、・・・の順に前記走査線をｊ本おきに走査し、
ｎ＋１フレームではｋ＋１番目、ｋ＋１＋（ｊ＋１）番目、ｋ＋１＋２（ｊ＋１）番目、・・・の順に前記走査線をｊ本おきに走査する駆動信号を前記走査線駆動回路に送信し、
ｊ＋１フレームで、１画面を構成する請求項１記載の平面表示装置。
【請求項８】
前記切替部は、垂直ブランキング期間にインタレース走査とノンインタレース走査との切替えを行う、請求項１記載の平面表示装置。
【請求項９】
基板上にマトリクス状に配置された複数の画素と、
前記複数の画素の列毎に設けられ、各列の画素群にそれぞれ画像信号を供給するための複数の信号線と、
前記複数の画素の行毎に設けられ、行単位の画素群をそれぞれ選択するための複数の走査線と、
前記複数の信号線が接続された信号線駆動回路と、
前記複数の走査線が接続された走査線駆動回路と、
前記信号線駆動回路及び前記走査線駆動回路に画像データ及び駆動信号を送信する切替部と、
原画像データが入力されるとともに、前記原画像データが動画の時にインタレース走査ＯＮ／ＯＦＦ信号をＯＦＦにし、前記原画像データが静止画のときにインタレース走査ＯＮ／ＯＦＦ信号をＯＮにして前記切替部に送信する表示画像制御部と、を備えた平面表示装置の駆動方法であって、
前記表示画像制御部は、外部から入力された基準値によって前記原画像データが動画か静止画かを判定し、
前記切替部は、前記表示画像制御部から受信したインタレース走査ＯＮ／ＯＦＦ信号がＯＮのときに前記走査線駆動回路の動作をインタレース走査に切替え、ＯＦＦのときにノンインタレース走査に切替える平面表示装置の駆動方法。
【請求項１０】
前記表示画像制御部は前記原画像データが動画か静止画かを判定する判定部をさらに有し、
前記判定部は、原画像データと１フレーム前の画像データとの差分をとり、
前記差分の１フレーム分の和と外部から入力された基準値とを比較し、
前記差分の１フレーム分の和が前記基準値をこえた場合に、現在の画像が動画であると判定し、
前記差分の１フレーム分の和が前記基準値以下の場合に、現在の画像が静止画であると判定する請求項９記載の平面表示装置の駆動方法。
【請求項１１】
前記表示画像制御部は、前記切替部に画像データ及び同期信号を送信するデータ変換回路をさらに有し、
前記データ変換回路は、前記走査線駆動回路によって駆動される走査線に対応した画像データを前記原画像データから選択し、選択された前記画像データ及び前記画像データに対応した同期信号を前記切替部に送信する請求項９記載の平面表示装置の駆動方法。
【請求項１２】
前記切替部は、前記走査線駆動回路がインタレース走査を行うときは、
ｎフレームではｋ番目、ｋ＋（ｊ＋１）番目、ｋ＋２（ｊ＋１）、・・・の順に前記走査線をｊ本おきに走査し、ｎ＋１フレームではｋ＋１番目、ｋ＋１＋（ｊ＋１）番目、ｋ＋１＋２（ｊ＋１）番目、・・・の順に前記走査線をｊ本おきに走査する駆動信号を前記走査線駆動回路に送信し、ｊ＋１フレームで１画面を構成する請求項９記載の平面表示装置の駆動方法。
【手続補正２】
【補正対象書類名】明細書
【補正対象項目名】０００８
【補正方法】変更
【補正の内容】
【０００８】
本発明の態様による平面表示装置は、基板上にマトリクス状に配置された複数の画素と、前記複数の画素の列毎に設けられ、各列の画素群にそれぞれ画像信号を供給するための複数の信号線と、前記複数の画素の行毎に設けられ、行単位の画素群をそれぞれ選択するための複数の走査線と、前記複数の信号線が接続された信号線駆動回路と、前記複数の走査線が接続された走査線駆動回路と、前記信号線駆動回路及び前記走査線駆動回路に画像データ及び駆動信号を送信する切替部と、原画像データが入力されるとともに、前記原画像データが動画の時にインタレース走査ＯＮ／ＯＦＦ信号をＯＦＦにし、前記原画像データが静止画のときにインタレース走査ＯＮ／ＯＦＦ信号をＯＮにして前記切替部に送信する表示画像制御部と、を備え、前記表示画像制御部には、前記原画像データが動画か静止画かを判定するための基準値が外部から入力され、前記切替部は、前記表示画像制御部から受信したインタレース走査ＯＮ／ＯＦＦ信号がＯＮのときに前記走査線駆動回路の動作をインタレース走査に切替え、ＯＦＦのときにノンインタレース走査に切替える。
【手続補正３】
【補正対象書類名】明細書
【補正対象項目名】０００９
【補正方法】変更
【補正の内容】
【０００９】
また、本発明の態様による平面表示装置の駆動方法は、基板上にマトリクス状に配置された複数の画素と、前記複数の画素の列毎に設けられ、各列の画素群にそれぞれ画像信号を供給するための複数の信号線と、前記複数の画素の行毎に設けられ、行単位の画素群をそれぞれ選択するための複数の走査線と、前記複数の信号線が接続された信号線駆動回路と、前記複数の走査線が接続された走査線駆動回路と、前記信号線駆動回路及び前記走査線駆動回路に画像データ及び駆動信号を送信する切替部と、原画像データが入力されるとともに、前記原画像データが動画の時にインタレース走査ＯＮ／ＯＦＦ信号をＯＦＦにし、前記原画像データが静止画のときにインタレース走査ＯＮ／ＯＦＦ信号をＯＮにして前記切替部に送信する表示画像制御部と、を備えた平面表示装置の駆動方法であって、前記表示画像制御部は、外部から入力された基準値によって前記原画像データが動画か静止画かを判定し、前記切替部は、前記表示画像制御部から受信したインタレース走査ＯＮ／ＯＦＦ信号がＯＮのときに前記走査線駆動回路の動作をインタレース走査に切替え、ＯＦＦのときにノンインタレース走査に切替える。
【手続補正４】
【補正対象書類名】明細書
【補正対象項目名】００１７
【補正方法】変更
【補正の内容】
【００１７】
すなわち、表示画像制御部２２に入力された原画像データＳｉ（ｔ）は、データ変換回路２２Ａ、判定部２４の差分回路２２Ｂ、及びフレームメモリ２２Ｃに入力される。差分回路２２Ｂでは、入力された原画像データＳｉ（ｔ）と、フレームメモリ２２Ｃに保存された１フレーム前の原画像データＳｉ（ｔ−１）との差分を算出し、その結果を出力する。差分回路２２Ｂの出力は、加算回路２２Ｄに入力されて、差分回路２２Ｂで算出された差分を加算して1フレーム分の差分の和を算出する。加算回路２２Ｄの算出結果は、動画判定回路２２Ｅに送信される。
【手続補正５】
【補正対象書類名】明細書
【補正対象項目名】００２４
【補正方法】変更
【補正の内容】
【００２４】
ＯＦＦ信号Ｓｉ２にしたがって、原画像データＳｉ（ｔ）から、走査線駆動回路１４が駆動する走査線に対応する画像データＳｉ１を選択して、信号供給配線Ｗ１を介してタイミングコントローラ１６に送信する。
【手続補正６】
【補正対象書類名】明細書
【補正対象項目名】００２９
【補正方法】変更
【補正の内容】
【００２９】
上記のように、走査線駆動回路１４がインタレース走査をした場合、図７に示すようにｎフレームとｎ＋１フレームとの２フレームによって１画面が構成される。（この場合、「Ａ」という文字画像が表示される。）
切替部１６Ａでのインタレース／ノンインタレース走査の切替えは、垂直ブランキング期間に行われている。このときの表示画像制御部２２における動画判定動作、及びタイミングコントローラ１６の切替部１６Ａにおけるインタレース／ノンインタレース走査の切替え動作について図８を参照して説明する。
【手続補正７】
【補正対象書類名】明細書
【補正対象項目名】００４１
【補正方法】変更
【補正の内容】
【００４１】
【図１】本発明に係る平面表示装置の一概略構成例を示す図。
【図２】図１に示す情報処理装置の表示画像制御部の一構成例を詳細に示す図。
【図３】図２に示す表示画像制御部における動画／静止画判定の方法の一例を説明する図。
【図４】ノンインタレース走査を行った場合に、走査線に送信されるパルスのタイミングチャートの一例を示す図。
【図５】インタレース走査を行った場合に、走査線に送信されるパルスのタイミングチャートの一例を示す図。
【図６】２フレームで１画面を構成するようにインタレース走査を行った場合に、走査線に送信されるパルスのタイミングチャートの一例を示す図。
【図７】図６に示すようにインタレース走査した場合の一表示例を示す図。
【図８】表示画像制御部での判定動作とタイミングコントローラでの切替動作を説明するフローチャート。
【手続補正８】
【補正対象書類名】図面
【補正対象項目名】図２
【補正方法】変更
【補正の内容】
【図２】
2006330263.tif 000011
【手続補正９】
【補正対象書類名】図面
【補正対象項目名】図８
【補正方法】変更
【補正の内容】
【図８】
2006330263.tif 000012